(57)【要約】【課題】導電性異物が液晶層に侵入しても、繋ぎ換え部において不良が発生しないようにした液晶表示装置を提供する。【解決手段】互いに直交して配置される複数本の信号線２０及び複数本の走査線２２と、信号線２０と走査線２２との交点近傍にＴＦＴ２４を介して配置される画素電極２６とを備えることによりマトリックス状に複数の表示画素を有したアレイ基板１２と、対向電極５６を有する対向基板１４と、アレイ基板１２と対向基板１４との間に配された液晶層１６とを有し、信号線２０と走査線２２の繋ぎ換え部４４は、接続層６４の上に液晶間絶縁層７２を有している。【選択図】      図１
2008107621.tif 000002
【特許請求の範囲】
【請求項１】
互いに直交して配置される複数本の信号線及び複数本の走査線と、前記信号線と前記走査線との交点近傍にスイッチング素子を介して配置される画素電極とを備えることによりマトリックス状に複数の表示画素を有したアレイ基板と、
対向電極を有する対向基板と、
前記アレイ基板と前記対向基板との間に配された液晶層と、
を有する液晶表示装置において、
前記アレイ基板は、前記複数の表示画素より構成される表示領域の外に、前記走査線と前記信号線とをそれぞれ繋ぎ換える複数の繋ぎ換え部を有し、
前記各繋ぎ換え部は、
前記信号線と前記走査線とが第１絶縁層を介して積層され、
前記画素電極と同じ材料によって形成された接続層が、前記信号線及び前記走査線の上部に第２絶縁層を介して積層され、かつ、前記信号線及び前記走査線を接続し、
前記接続層と前記対向電極との間に第３絶縁層が形成されている、
液晶表示装置。
【請求項２】
前記第３絶縁層は、前記各繋ぎ換え部にそれぞれ形成されている、
請求項１記載の液晶表示装置。
【請求項３】
前記第３絶縁層は、前記アレイ基板と前記対向基板とのセルギャップを維持する、
請求項１記載の液晶表示装置。
【請求項４】
前記繋ぎ換え部は、前記各表示画素の前記信号線と前記走査線と同じ材料及び工程で形成された引き出し線とを接続する、
請求項１記載の液晶表示装置。
【請求項５】
前記繋ぎ換え部は、前記各表示画素の前記走査線、または、前記信号線と検査回路とを接続する、
請求項１記載の液晶表示装置。
【請求項６】
前記繋ぎ換え部は、前記各表示画素の前記走査線、または、前記信号線と静電気保護回路とを接続する、
請求項１記載の液晶表示装置。
【発明の詳細な説明】
【技術分野】
【０００１】
本発明は、信号線と走査線の繋ぎ換え部を有する液晶表示装置に関するものである。
【背景技術】
【０００２】
従来のアクティブマトリックス型の液晶表示装置においては薄膜トランジスタ（以下、ＴＦＴという）を駆動するための走査線、信号線、周辺の配線等がアレイ基板上に配置され、対向電極を有する対向基板を貼り合わせて液晶を封入した構造となっている。このような液晶表示装置において表示領域周縁においては、走査線や信号線を検査回路や静電気保護回路と接続するための繋ぎ換え部にコンタクトホールを形成している。
【０００３】
しかし、この繋ぎ換え部において、製造工程に起因する金属削り屑等の導電性異物によって短絡が生じ、横方向の線欠陥が発生する場合がある。その状態を図４の液晶表示装置１００に基づいて説明する。
【０００４】
図４に示すように、液晶表示装置１００のアレイ基板１０２を構成するガラス基板１０４上に繋ぎ換え部１０６が形成されている。この繋ぎ換え部１０６は、走査線１０８上にゲート絶縁膜１１０が積層され、その上に信号線１１２が積層されている。信号線１１２上には、層間絶縁膜１１４が積層され、層間絶縁膜１１４上に画素電極と同じ材料から形成された接続層１１６が積層されている。ゲート絶縁膜１１０、層間絶縁膜１１４にはそれぞれコンタクトホール１１８，１１９が形成され、接続層１１６によって走査線１０８と信号線１１２とが電気的に接続され、これによって繋ぎ換えが可能となっている。一方、対向基板１２０には、対向電極１２２が積層され、対向基板１２０とアレイ基板１０２との間には液晶層１２４が挟持されている。
【０００５】
このような液晶表示装置１００において、液晶層１２４に液晶を封入する際に微小な導電性異物１２６が一緒に流れ込むことがある。このような導電性異物１２６が、図４に示すように、接続層１１６と対向電極１２２との間に挟まり、対向電極１２２と接続層１１６を短絡させることがある。
【０００６】
そのため、従来より、この短絡を防止するために、繋ぎ換え部に対向する対向電極を形成しないようにし、繋ぎ換え部の位置に導電性異物が存在しても短絡が生じないようにしたものが提案されている（例えば、特許文献１参照）。
【特許文献１】特開２００２−３５７８４３号公報
【発明の開示】
【発明が解決しようとする課題】
【０００７】
しかし、上記のような繋ぎ換え部における短絡防止の構造であると、繋ぎ換え部に対応する位置にある対向電極を正確に形成しないようにする必要があるため、対向基板を形成する精度を向上させる必要があり、その工程が難しくなるという問題点がある。
【０００８】
そこで、本発明は上記問題点に鑑み、より簡単に繋ぎ換え部における対向電極と接続層との間の短絡を防止する液晶表示装置を提供する。
【課題を解決するための手段】
【０００９】
本発明は、互いに直交して配置される複数本の信号線及び複数本の走査線と、前記信号線と前記走査線との交点近傍にスイッチング素子を介して配置される画素電極とを備えることによりマトリックス状に複数の表示画素を有したアレイ基板と、対向電極を有する対向基板と、前記アレイ基板と前記対向基板との間に配された液晶層と、を有する液晶表示装置において、前記アレイ基板は、前記複数の表示画素より構成される表示領域の外に、前記走査線と前記信号線とをそれぞれ繋ぎ換える複数の繋ぎ換え部を有し、前記各繋ぎ換え部は、前記信号線と前記走査線とが第１絶縁層を介して積層され、前記画素電極と同じ材料によって形成された接続層が、前記信号線及び前記走査線の上部に第２絶縁層を介して積層され、かつ、前記信号線及び前記走査線を接続し、前記接続層と前記対向電極との間に第３絶縁層が形成されている、液晶表示装置である。
【発明の効果】
【００１０】
本発明によれば、導電性異物が侵入しても、接続層と対向電極との間で短絡することがない。
【発明を実施するための最良の形態】
【００１１】
以下、本発明の一実施形態の液晶表示装置１０について図面に基づいて説明する。
【００１２】
以下、本発明の第１の実施形態の液晶表示装置１０について図１〜図３に基づいて説明する。
【００１３】
本実施形態のアクティブマトリックス型の液晶表示装置は、携帯電話、パソコン、テレビ等に用いられるものである。
【００１４】
本実施形態の液晶表示装置１０の構成について、図１及び図３に基づいて説明する。
【００１５】
液晶表示装置１０は、アレイ基板１２と対向基板１４との間に、液晶層１６を挟持したものである。
【００１６】
アレイ基板１２は、絶縁性のガラス基板１８上に複数の信号線２０と複数の走査線２２が直交するように配線され、その交差部近傍にスイッチング素子であるＴＦＴ２４が形成されている。このＴＦＴ２４のゲート電極が走査線２２に接続され、ＴＦＴ２４のソース電極が信号線２０に接続されている。ＴＦＴ２４のドレイン電極は、ＩＴＯよりなる画素電極２６に接続され、表示画素を形成している。このように形成された表示画素がマトリックス状に配置されている。
【００１７】
各表示画素の信号線２０は、図３において上側にそれぞれ引き出され、繋ぎ換え部２８を介して引き出し線３０に接続されている。引き出し線３０の端部は、信号線ドライバＩＣ用のパッド３２がそれぞれ形成されている。
【００１８】
走査線２２も、図３において左側にそれぞれ引き出され、その左端部に走査線ドライバＩＣ用のパッド３４がそれぞれ形成されている。
【００１９】
各表示画素の信号線の図３における下端部は、表示領域外の信号線側検査用ＴＦＴ３６、繋ぎ換え部４０を介して信号線用検査配線３８に接続されている。検査用配線３８は、図３においてこの表示領域外の下周縁部の左右方向に配線され、その左端部に検査用パット４２がそれぞれ形成されている。
【００２０】
各表示画素の走査線２２の右端部には、表示領域外の繋ぎ換え部４４を介して走査線側検査用ＴＦＴ４６が接続されている。この表示領域外の走査線側検査用ＴＦＴ４６は繋ぎ換え部４８を介して走査線側検査用配線５０と接続されている。この走査線側検査用配線５０は、図３において表示領域外の右周縁部及び下周縁部を迂回して、アレイ基板１２の左端部に検査用パット５２がそれぞれ設けられている。
【００２１】
一方、対向基板１４は、ガラス基板５４上にＲ，Ｇ，Ｂよりなるカラーフィルター層５６が積層され、その上に対向電極５８が積層されている。
【００２２】
次に、上記における繋ぎ換え部２８、４０、４４、４８の構造について、繋ぎ換え部４４を例にして説明する。なお、繋ぎ換え部２８、４０及び４８も同様の構成を有している。
【００２３】
図１は、繋ぎ換え部４４における拡大縦断面図であり、図２はその平面図である。
【００２４】
図１に示すように、アレイ基板１２を構成するガラス基板１８上にＭｏ／Ｗ合金からなる走査線２２が形成され、走査線２２上にゲート絶縁膜６０が形成され、ゲート絶縁膜６０上にＡｌの信号線２０が積層されている。この走査線２２と信号線２０とは、一部が重なるように積層されている。信号線２０の上には層間絶縁膜６２が形成されている。層間絶縁膜６２の上には、画素電極２６と同じ材料（ＩＴＯ）よりなる接続層６４が形成されている。なお、この接続層６４を積層する前に、ゲート絶縁膜６０にコンタクトホール６６を形成し、層間絶縁膜６２にもコンタクトホール６８を形成し、これによって、接続層６４を積層した場合に、コンタクトホール６６、６８を介して信号線２０と走査線２２が接続される。
【００２５】
さらに、本実施形態ではこの接続層６４の上に、液晶間絶縁層７２を形成している。即ち、各繋ぎ換え部４４に対応してそれぞれ液晶間絶縁層７２を島状に形成している。この島状の液晶間絶縁層７２は、接続層６４の上にアクリル樹脂を塗布しパターニングすることによって形成している。
【００２６】
本実施形態の液晶表示装置においては、接続層６４の上に液晶間絶縁層７２が形成されているため、導電性異物７０が侵入しても、この液晶間絶縁層７２によって排除され、対向電極５８と接続層６４との間を短絡させることがない。また、この液晶間絶縁層７２は、液晶層１６のセルギャップを維持するためのスペーサの役割も果たし、この繋ぎ換え部４４が存在する位置において、セルギャップを正確に維持することができる。このセルギャップとしては、２〜５μｍである。
【００２７】
なお、液晶間絶縁層７２を島状に形成する理由は、もし複数の繋ぎ換え部４４を全て覆うような面積が広い面状に液晶間絶縁層７２を形成すると、液晶注入時に液晶が広がらなくなるからである。また、液晶間絶縁層７２の面積が広くなると表示画素との密度差によるギャップむら等の弊害が出るからである。
【図面の簡単な説明】
【００２８】
【図１】本発明の一実施形態の繋ぎ換え部における拡大縦断面図である。
【図２】同じく繋ぎ換え部の平面図である。
【図３】アレイ基板の平面図である。
【図４】従来の繋ぎ換え部の拡大縦断面図である。
【符号の説明】
【００２９】
１０  液晶表示装置
１２  アレイ基板
１４  対向基板
１６  液晶層
２０  信号線
２２  走査線
４４  繋ぎ換え部
５８  対向電極
６０  ゲート絶縁膜
６２  層間絶縁膜
６４  接続層
６６  コンタクトホール
６８  コンタクトホール
７０  導電性異物
７２  液晶間絶縁層
【図１】
2008107621.tif 000003
【図２】
2008107621.tif 000004
【図３】
2008107621.tif 000005
【図４】
2008107621.tif 000006